(57)【特許請求の範囲】
【請求項１】
ピンと、
該ピンが挿入可能な挿入孔を有し、脚部の長さ方向に設けたスリットにより、複数の脚片を形成したグロメットとからなり、
前記グロメットが前記ピンの前記挿入孔への挿入により、一部を拡開可能となるクリップにおいて、
前記ピン又は前記グロメットの少なくともどちらか一方に、
砂利等の異物の進入を防ぐ防止部を設け、
前記防止部は、
前記スリットの開放面を外側から塞ぐ壁部から構成され、
前記ピンの挿入脚は、
前記グロメットの前記脚片の内周に接する当接部を備えた中央脚と、
前記中央脚から外方に延び、前記壁部を構成する羽部とからなり、
前記脚片の幅を、全長にわたり一定とし、
前記羽部の隣り合う間隔を全長にわたり一定とするとともに、当該間隔を前記脚片の幅に一致させていることを特徴とするクリップ。
【請求項２】
前記壁部は、
前記ピンの挿入脚の一部に位置し、前記スリットの長さ方向に沿って延設されていることを特徴とする請求項１に記載にクリップ。
【請求項３】
前記壁部は、
前記ピンの挿入脚に延設されたことを特徴とする請求項１又は請求項２に記載にクリップ。
【請求項４】
前記羽部は、
前記中央脚の長さの途中に位置していることを特徴とする請求項１〜３のいずれか１項に記載にクリップ。
【請求項５】
前記羽部は、
前記中央脚の先端部に位置していることを特徴とする請求項１〜４のいずれか１項に記載にクリップ。
【請求項６】
前記グロメットの前記脚片の内周面と、当該内周面に当接する前記ピンの挿入脚の外周面とを、前記脚部の長さ方向に沿って線接触させていることを特徴とする請求項１〜５のいずれか１項に記載にクリップ。
【請求項７】
前記グロメットの前記脚片の内周面を平坦面として、
前記ピンの挿入脚の外周面を前記平坦面に向かって突出する突面としていることを特徴とする請求項６に記載にクリップ。
【発明の詳細な説明】
【技術分野】
【０００１】
この発明は、クリップに関し、特にピンを挿入するグロメットの挿入孔中への砂利等の異物の進入を防止することができるようにしたものである。
【背景技術】
【０００２】
従来、ピンと、該ピンが挿入可能な挿入孔を有し、脚部の長さ方向に設けたスリットにより、複数の脚片を形成したグロメットとからなり、グロメットがピンの挿入孔への挿入により、一部を拡開可能となるクリップが知られている（例えば特許文献１の段落番号「０００８」及び図１〜６、特許文献２の段落番号「００１５」及び図１〜４参照）。
【先行技術文献】
【特許文献】
【０００３】
【特許文献１】特開2006-105359号公報
【特許文献２】特開2010-7687号公報
【発明の概要】
【発明が解決しようとする課題】
【０００４】
しかし、上記した従来のクリップは、例えば自動車のバンパー等の締結に使用した場合に、外部から砂利や泥等が、ピンとグロメットとの間に進入するおそれがあった。
このため、上記した従来のクリップでは、砂利や泥等の進入すると、締結状態の解除が困難になるという問題点があった。
すなわち、ピンとグロメットとの間に、砂利等の異物が進入することで、両者の間の摩擦抵抗が増加したり、或いは砂利等の異物が一種の”くさび”として作用して、ピンを抜くことができなくなるおそれがあった。
【０００５】
そこで、各請求項にそれぞれ記載された各発明は、上記した従来の技術の有する問題点に鑑みてなされたものであり、その目的とするところは、次の点にある。
（請求項１）
請求項１に記載の発明は、次の点を目的とする。
すなわち、請求項１に記載の発明は、砂利等の異物の進入を防ぐ、壁部である防止部を設けることにより、ピンを挿入するグロメットの挿入孔中への砂利等の異物の進入を防止することができるようにしたものである。
これに加え、請求項１に記載の発明は、ピンの挿入脚に、中央脚から外方に延び、壁部を構成する羽部を備えることで、当該羽部により砂利等の異物の進入を防止することができるようにしたものである。
（請求項２）
請求項２に記載の発明は、上記した請求項１に記載の発明の目的に加え、次の点を目的とする。
【０００６】
すなわち、請求項２に記載の発明は、壁部を、ピンの挿入脚の一部に位置させ、スリットの長さ方向に沿って延設させることで、スリットからの砂利等の異物の進入を防止することができるようにしたものである。
【０００７】
【０００８】
（請求項３）
請求項３に記載の発明は、上記した請求項１又は請求項２に記載の発明の目的に加え、次の点を目的とする。
【０００９】
すなわち、請求項３に記載の発明は、壁部を、ピンの挿入脚に延設させることで、当該壁部により砂利等の異物の進入を防止することができるようにしたものである。
【００１０】
（請求項４）
請求項４に記載の発明は、上記した請求項１〜３のいずれか１項に記載の発明の目的に加え、次の点を目的とする。
【００１１】
すなわち、請求項４に記載の発明は、羽部を、中央脚の長さの途中に位置させることで、中央脚の長さの途中からの砂利等の異物の進入を防止することができるようにしたものである。
（請求項５）
請求項５に記載の発明は、上記した請求項１〜４のいずれか１項に記載の発明の目的に加え、次の点を目的とする。
【００１２】
すなわち、請求項５に記載の発明は、羽部を、中央脚の先端部に位置させることで、中央脚の先端部からの砂利等の異物の進入を防止することができるようにしたものである。
（請求項６）
請求項６に記載の発明は、上記した請求項１〜５のいずれか１項に記載の発明の目的に加え、次の点を目的とする。
【００１３】
すなわち、請求項６に記載の発明は、グロメットの脚片の内周面と、ピンの挿入脚の外周面とを脚部の長さ方向に沿って線接触させることで、ピンの移動時の摩擦抵抗を減少させることができるようにしたものである。
（請求項７）
請求項７に記載の発明は、上記した請求項６に記載の発明の目的に加え、次の点を目的とする。
【００１４】
すなわち、請求項７に記載の発明は、グロメットの脚片の内周面を平坦面とし、ピンの挿入脚の外周面を突面とすることで、ピンの移動時の摩擦抵抗を減少させることができるようにしたものである。
【課題を解決するための手段】
【００１５】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１６】
第１に、例えば図１に示すように、ピン(40)と、ピン(40)が挿入可能な挿入孔(51)を有し、脚部(90)の長さ方向に設けたスリット(91)により、複数の脚片(92)を形成したグロメット(50)とからなる。
第２に、例えば図２に示すように、グロメット(50)がピン(40)の挿入孔(51)への挿入により、一部を拡開可能となるクリップ(10)である。
【００１７】
第３に、ピン(40)又はグロメット(50)の少なくともどちらか一方（例えばピン(40)）に、例えば図１に示すように、砂利等の異物の進入を防ぐ防止部(110)を設けている。
第４に、防止部(110)は、例えば図１及び図２に示すように、スリット(91)の開放面を外側から塞ぐ壁部（例えばピン40の羽部111〜114,115〜118）から構成されている。
なお、壁部として、ピン(40)の羽部(111〜114,115〜118)を例示したが、壁部は羽部(111〜114,115〜118)に限らないばかりか、中央羽部(111〜114)と、先端羽部(115〜118)のいずれか少なくとも一方から壁部を構成してもよい。
第５に、ピン(40)の挿入脚(60)は、例えば図１及び図２に示すように、グロメット(50)の脚片(92)の内周に接する当接部(101,102)を備えた中央脚(100)と、中央脚(100)から外方に延び、壁部を構成する羽部(111〜118)とからなる。
第６に、例えば図１３に示すように、脚片(92)の幅を、全長にわたり一定とする。
第７に、例えば図６に示すように、羽部(111〜114)の隣り合う間隔（例えば羽部111と羽部112との間隔、羽部113と羽部114との間隔）を全長にわたり一定とするとともに、当該間隔を前記脚片(92)の幅に一致させている。
（請求項２）
請求項２に記載の発明は、上記した請求項１に記載の発明の特徴点に加え、次の点を特徴とする。
【００１８】
すなわち、壁部（例えばピン40の羽部111〜114,115〜118）は、例えば図１に示すように、ピン(40)の挿入脚(60)の一部に位置し、スリット(91)の長さ方向に沿って延設されている。
【００１９】
【００２０】
（請求項３）
請求項３に記載の発明は、上記した請求項１又は請求項２に記載の発明の特徴点に加え、次の点を特徴とする。
【００２１】
すなわち、壁部（例えばピン40の羽部111〜114,115〜118）は、例えば図１に示すように、ピン(40)の挿入脚(60)に延設された。
【００２２】
（請求項４）
請求項４に記載の発明は、上記した請求項１〜３のいずれか１項に記載の発明の特徴点に加え、次の点を特徴とする。
【００２３】
すなわち、羽部(例えば中央羽部111〜114)は、例えば図１に示すように、中央脚(100)の長さの途中に位置している。
（請求項５）
請求項５に記載の発明は、上記した請求項１〜４のいずれか１項に記載の発明の特徴点に加え、次の点を特徴とする。
【００２４】
すなわち、羽部(例えば先端羽部115〜118)は、例えば図１に示すように、中央脚(100)の先端部に位置している。
（請求項６）
請求項６に記載の発明は、上記した請求項１〜５のいずれか１項に記載の発明の特徴点に加え、次の点を特徴とする。
【００２５】
すなわち、グロメット(50)の脚片(92)の内周面と、当該内周面に当接するピン(40)の挿入脚(60)の外周面とを、図示しないが、脚部(90)の長さ方向に沿って線接触させている。
（請求項７）
請求項７に記載の発明は、上記した請求項６に記載の発明の特徴点に加え、次の点を特徴とする。
【００２６】
すなわち、グロメット(50)の脚片(92)の内周面を、例えば図１及び図２に示すように、平坦面(93)として、ピン(40)の挿入脚(60)の外周面を、例えば図１及び図８に示すように、平坦面(93)に向かって突出する突面(103,104)としている。
【発明の効果】
【００２７】
本発明は、以上のように構成されているので、以下に記載されるような効果を奏する。
（請求項１）
請求項１に記載の発明によれば、次のような効果を奏する。
すなわち、請求項１に記載の発明によれば、砂利等の異物の進入を防ぐ、壁部である防止部を設けることにより、ピンを挿入するグロメットの挿入孔中への砂利等の異物の進入を防止することができる。
これに加え、請求項１に記載の発明によれば、ピンの挿入脚に、中央脚から外方に延び、壁部を構成する羽部を備えることで、当該羽部により砂利等の異物の進入を防止することができる。
（請求項２）
請求項２に記載の発明によれば、上記した請求項１に記載の発明の効果に加え、次のような効果を奏する。
【００２８】
すなわち、請求項２に記載の発明によれば、壁部を、ピンの挿入脚の一部に位置させ、スリットの長さ方向に沿って延設させることで、スリットからの砂利等の異物の進入を防止することができる。
【００２９】
【００３０】
（請求項３）
請求項３に記載の発明によれば、上記した請求項１又は請求項２に記載の発明の効果に加え、次のような効果を奏する。
【００３１】
すなわち、請求項３に記載の発明によれば、壁部を、ピンの挿入脚に延設させることで、当該壁部により砂利等の異物の進入を防止することができる。
【００３２】
（請求項４）
請求項４に記載の発明によれば、上記した請求項１〜３のいずれか１項に記載の発明の効果に加え、次のような効果を奏する。
【００３３】
すなわち、請求項４に記載の発明によれば、羽部を、中央脚の長さの途中に位置させることで、中央脚の長さの途中からの砂利等の異物の進入を防止することができる。
（請求項５）
請求項５に記載の発明によれば、上記した請求項１〜４のいずれか１項に記載の発明の効果に加え、次のような効果を奏する。
【００３４】
すなわち、請求項５に記載の発明によれば、羽部を、中央脚の先端部に位置させることで、中央脚の先端部からの砂利等の異物の進入を防止することができる。
（請求項６）
請求項６に記載の発明によれば、上記した請求項１〜５のいずれか１項に記載の発明の効果に加え、次のような効果を奏する。
【００３５】
すなわち、請求項６に記載の発明によれば、グロメットの脚片の内周面と、ピンの挿入脚の外周面とを脚部の長さ方向に沿って線接触させることで、ピンの移動時の摩擦抵抗を減少させることができる。
（請求項７）
請求項７に記載の発明によれば、上記した請求項６に記載の発明の効果に加え、次のような効果を奏する。
【００３６】
すなわち、請求項７に記載の発明によれば、グロメットの脚片の内周面を平坦面とし、ピンの挿入脚の外周面を突面とすることで、ピンの移動時の摩擦抵抗を減少させることができる。
【図面の簡単な説明】
【００３７】
【図１】クリップの分解斜視図である。
【図２】クリップの取付状態の断面図である。
【図３】ピンの斜視図である。
【図４】ピンの正面図である。
【図５】ピンの底面図である。
【図６】ピンの側面図である。
【図７】図６のＡ−Ａ線に沿う断面図である。
【図８】図６のＢ−Ｂ線に沿う断面図である。
【図９】図８のＣ部分の拡大図である。
【図１０】図６のＤ−Ｄ線に沿う断面図である。
【図１１】グロメットを上方から見た斜視図である。
【図１２】グロメットを下方から見た斜視図である。
【図１３】一半を断面にしたグロメットの側面図である。
【図１４】グロメットの底面図である。
【図１５】一半を断面にしたグロメットの正面図である。
【図１６】クリップの仮止状態の斜視図である。
【図１７】一半を断面にした仮止状態のクリップの正面図である。
【図１８】仮止状態のクリップの平面図である。
【図１９】一半を断面にした仮止状態のクリップの正面図である。
【図２０】本発明の第２の実施の形態を示し、防止部の説明図である。
【図２１】図２０に対応し、グロメットの脚部が拡開した状態を示す防止部の説明図    である。
【発明を実施するための形態】
【００３８】
図１中、10は、クリップを示し、図２に示すように、例えば自動車のボディー等のベース20に対して、アンダーカバー等の部品30を取り付けるの使用されている。
なお、ベース20として、自動車のボディーを例示し、又、部品30としてアンダーカバーを例示したが、これに限定されない。
上記ベース20には、図２に示すように、クリップ10を挿入可能であり、表裏面に貫通した方形の取付孔21を設けている。また、部品30には、クリップ10を挿入可能であり、取付孔21と整合するとともに、表裏面に貫通した方形の貫通孔31を設けている。
【００３９】
クリップ10は、図１に示すように、大別すると、次のパーツを備える。
なお、次の（１）及び（２）については、後述する。
（１）ピン40
（２）グロメット50
なお、クリップ10のパーツは、上記した（１）及び（２）に限定されない。
（ピン40）
ピン40は、図１〜１０に示すように、後述するグロメット50の挿入孔51に挿入可能なものである。ピン40は、適度な剛性と弾性とを有する熱可塑性の合成樹脂、例えばＰＢＴ（ポリブチレンテレフタレート）により一体的に成形されている。
【００４０】
具体的には、ピン40は、図１〜１０に示すように、大別すると、次の各部を備える。
なお、次の（１）及び（２）については、後述する。
（１）挿入脚60
（２）頭部70
なお、ピン40の各部は、上記した（１）及び（２）に限定されない。
（グロメット50）
グロメット50は、図１、図２及び図１１〜１５に示すように、ピン40の後述する挿入脚60が挿入可能な挿入孔51を有し、後述する脚部90の長さ方向に設けたスリット91により、複数、例えば２個の脚片92を形成したものである。グロメット50は、図２に示すように、挿入脚60の挿入孔51への挿入により、一部が拡開可能となるものである。グロメット50は、ピン40と同様に、適度な剛性と弾性とを有する熱可塑性の合成樹脂、例えばＰＯＭ（ポリアセタール）により一体的に成形されている。
【００４１】
なお、脚片92の個数として、２個を例示したが、これに限定されず、３個以上形成しても良い。
具体的には、グロメット50は、図１及び図１１〜１５に示すように、大別すると、次の各部を備える。
なお、次の（１）及び（２）については、後述する。
【００４２】
（１）フランジ80
（２）脚部90
なお、グロメット50の各部は、上記した（１）及び（２）に限定されない。
（挿入脚60）
挿入脚60は、図１〜１０に示すように、後述するグロメット50の挿入孔51に挿入可能なものである。
【００４３】
具体的には、挿入脚60は、図１〜１０に示すように、大別すると、次の各部を備える。
なお、次の（１）及び（２）については、後述する。
（１）中央脚100
（２）防止部110
なお、挿入脚60の各部は、上記した（１）及び（２）に限定されない。
（頭部70）
頭部70は、図１〜６、図８及び図１０に示すように、挿入脚60の端部、すなわち図１において上端部から張り出し、その外径を後述するグロメット50の挿入孔51の内径より大きく設定している。具体的には、頭部70は、図５に示すように、平面を長円形或いは小判形に形成している。
【００４４】
なお、頭部70を、平面が長円形或いは小判形に形成したが、これに限定されない。
（フランジ80）
フランジ80は、図１、図２及び図１１〜１５に示すように、その中央にピン40の挿入脚60を挿入可能な挿入孔51が形成され、外径をベース20の取付孔21の内径より大きく設定している。
【００４５】
具体的には、フランジ80は、図１及び図１１〜１５に示すように、略円盤形に形成され、又、挿入孔51は、直径方向に長い略長方形に形成されている。
なお、フランジ80を、略円盤形に形成し、挿入孔51を略長方形に形成したが、これらに限定されない。
具体的には、フランジ80には、図１、図２及び図１１〜１５に示すように、挿入孔51のほか、次の各部を備える。
【００４６】
なお、フランジ80の各部は、次の（１）及び（２）に限定されない。
（１）窪部81
窪部81は、図１１、図１３及び図１５に示すように、ピン40の頭部70がはまり込むものである。窪部81は、フランジ80の上面から、挿入孔51を中心に略円形に窪んでいる。頭部70の下面が、図２に示すように、窪部81の底面に当接した位置（以下、「ロック位置」という。）において、頭部70の上面と、フランジ80の周囲の環状の突縁部とが略面一に揃うようにしている。
【００４７】
（２）凹部82
凹部82は、図１、図１１、図１３及び図１５に示すように、窪部81内にピン40の頭部70がはまり込んだ状態において、図示しないが、ドライバー等を差し込み、ピン40の頭部70を窪部81の底面から浮上させるものである。凹部82は、図１及び図１１に示すように、挿入孔51を中心に、その長手方向の両端部に位置し、窪部81の周囲の環状の突縁部を凹状に凹ませて形成している。
【００４８】
一方、挿入孔51には、図１、図１１及び図１４に示すように、次の各部を備える。
なお、挿入孔51の各部は、次の（３）及び（４）に限定されない。
（３）スライド突起52
スライド突起52は、図１４に示すように、挿入孔51内に突出し、当該挿入孔51に挿入されたピン40の挿入脚60をスライド可能にガイドするためのものである。スライド突起52は、挿入孔51の長手方向の両端部のうち、少なくとも一端部から断面半円形に突出する。スライド突起52は、後述する中央脚100のスライド溝106にはまり込み、ピン40の挿入時に、当該スライド溝106に沿って相対的にスライドする。
【００４９】
（４）仮止突起53
仮止突起53は、図１４に示すように、挿入孔51内に突出し、当該挿入孔51に挿入されたピン40の挿入脚60を仮止めするためのものである。仮止突起53は、挿入孔51の長手方向の両端部の四隅に計４個位置し、断面半円形に突出する。仮止突起53は、後述する中央脚100の仮止溝107にはまり込み、図１６、図１７及び図１９に示すように、中央脚100を挿入孔51に浅く挿入した状態に仮止めする（以下、「仮止め位置」という。）。
（脚部90）
脚部90は、図１、図２及び図１１〜１５に示すように、フランジ80の下面から垂下し、ベース20の取付孔21及び部品30の貫通孔31に挿入可能なものである。
【００５０】
具体的には、脚部90は、図１、図２及び図１１〜１５に示すように、次の各部を備える。
なお、脚部90の各部は、次の（１）〜（５）に限定されない。
（１）スリット91
スリット91は、図１、図２、図１１、図１２、図１４及び図１５に示すように、脚部90の長さ方向に設けられ、脚部90を、複数、例えば２個の脚片92に切り割るものである。具体的には、スリット91は、脚部90の先端部の端面からフランジ80の下面に向かって延びている。また、スリット91は、フランジ80の挿入孔51の長手方向に沿って設けられ、挿入孔51の短手方向に対向する。
【００５１】
なお、なお、脚片92の個数として、２個を例示したが、これに限定されず、スリット91の個数を増加することで、脚片92の個数を３個以上に増加可能である。
（２）脚片92
脚片92は、図１、図２、図１１〜１５に示すように、スリット91を挟んで対向し、２個形成されている。
【００５２】
（３）平坦面93
平坦面93は、図１、図２、図１２、図１３及び図１５に示すように、脚片92の内周面に形成され、同図においてほぼ垂直に形成されている。
平坦面93は、図示しないが、後述するピン40の挿入脚60の突面103,104と当接し、両者は脚部90の長さ方向に沿って線接触する。
【００５３】
なお、グロメット50の脚片92の内周面と、当該内周面に当接するピン40の挿入脚60の外周面とを、脚部90の長さ方向に沿って線接触させる構成としては、平坦面93に限定されない。
（４）先端肉厚部94
先端肉厚部94は、図１、図２、図１１、図１２及び図１５に示すように、脚片92の先端部に位置し、スリット91に向かって突出するように、脚片92の肉厚を先端部に向かって徐々に増加させている。
【００５４】
（５）係止爪95
係止爪95は、図２、図１３及び図１５に示すように、先端肉厚部94の内面に位置し、スリット91に向かって断面略台形形或いは略三角形に突出する。係止爪95は、スリット91に向かって斜め下向きに傾斜した傾斜面と、当該傾斜面の傾斜下端に位置し、図１５において略水平な下面とから構成されている。
【００５５】
係止爪95は、図２に示すように、ロック位置において、ピン40の後述する係止溝105にはまり込み、ピン40をロック位置に係止する。
（中央脚100）
中央脚100は、図１〜１０に示すように、グロメット50の脚片90の内周に接するものである。中央脚100は、板状に形成され、フランジ80の挿入孔51の長手方向の左右の横幅以
下、例えば略等しい横幅を有し、挿入孔51の長手方向の前後の横幅以下、例えば横幅より薄い厚みを有する。
【００５６】
具体的には、中央脚100は、図１〜１０に示すように、次の各部を備える。
なお、中央脚100の各部は、次の（１）〜（５）に限定されない。
（１）第１、第２当接部101,102
第１、第２当接部101,102は、図１、図３、図５〜８及び図１０に示すように、中央脚100の厚み方向に背向する表裏面に位置し、グロメット50の脚片92の内周、すなわち平坦面93や先端肉厚部94に接するものである。
【００５７】
（２）第１、第２突面103,104
第１、第２突面103,104は、図１、図３、図４、図６及び図８に示すように、第１、第２当接部101,102にそれぞれ位置し、グロメット50の脚片92の平坦面93に向かって突出するものである。第１、第２突面103,104は、図８に示すように、中央脚100の幅方向の略中央に位置し、断面略半円形に突出する。また、第１、第２突面103,104は、中央脚100の長さ方向に沿って、図１、図３、図４及び図６において上下方向に延びている。
【００５８】
第１、第２突面103,104は、図示しないが、グロメット50の脚片92の平坦面93と当接し、両者は脚部90の長さ方向に沿って線接触する。
なお、グロメット50の脚片92の内周面と、当該内周面に当接するピン40の挿入脚60の外周面とを、脚部90の長さ方向に沿って線接触させる構成としては、第１、第２突面103,104に限定されない。
【００５９】
（３）係止溝105
係止溝105は、図１、図２、図６、図７及び図１０に示すように、中央脚100の下端部側に位置し、グロメット50の係止爪95がはまり込むものである。係止溝105は、図１０に示すように、凹状に凹み、上縁部を底に向かって下り傾斜した傾斜面と、下縁部を同図において略水平な下面とから構成されている。
【００６０】
（４）スライド溝106
スライド溝106は、図４、図５、図７及び図８に示すように、中央脚100の幅方向の両端部の少なくとも一方の端部に形成され、グロメット50のスライド突起52がはまり込むものである。スライド溝106は、中央脚100の長手方向、すなわち図４において上下方向に延びている。
【００６１】
（５）仮止溝107
仮止溝107は、図１、図３及び図４に示すように、中央脚100の下端部側に位置し、グロメット50の仮止突起53がはまり込むものである。仮止溝107は、後述する中央羽部111と先端羽部112との間に形成され、略Ｕ字形に凹んでいる。
（防止部110）
防止部110は、図１、図３〜６、図８及び図９に示すように、ピン40又はグロメット50の少なくともどちらか一方に、例えばピン40の挿入脚60に位置し、砂利等の異物の進入を防ぐものである。
【００６２】
なお、防止部110を、ピン40に位置させたが、これに限定されず、グロメット50側に位置させたり、或いはピン40及びグロメット50にそれぞれ位置させても良い。
具体的には、防止部110は、図１、図３〜６、図８及び図９に示すように、次の各部を備える。
なお、防止部110の各部は、次の（１）及び（２）に限定されず、（１）と（２）とのいずれか一方から防止部110を構成しても良い。
【００６３】
（１）中央羽部111〜114
中央羽部111〜114は、図１、図３〜６、図８及び図９に示すように、中央脚100の長さの途中に位置し、当該中央脚100から外方に略羽根状に延びている。
中央羽部111〜114は、ピン40の挿入脚60に延設された、防止部110の壁部として機能する。なお、壁部として、中央羽部111〜114を例示したが、これらに限定されない。
【００６４】
具体的には、中央羽部111〜114は、図８に示すように、中央脚100の第１、第２当接部101,102の四隅に計４個設けられ、全体として断面略Ｈ形に張り出している。
４個の中央羽部111〜114のうち、中央脚100を挟んで背向する中央羽部111と113、112と114との外側に位置する端面迄の距離は、グロメット50のスリット91の溝幅以上、例えば溝幅より長く設定されている。また、４個の中央羽部111〜114のうち、第１、第２突面103,104を挟んで対向する中央羽部111と112、113と114との間隔は、脚片92の横幅以上、例えば当該横幅にほぼ一致させている。
【００６５】
なお、中央羽部111〜114の個数として、４個を例示したが、これに限定されず、スリット91の解放面を塞げる個数とすれば良い。
（２）先端羽部115〜118
先端羽部115〜118は、図１、図３〜６及び図８に示すように、中央脚100の先端部に位置し、当該中央脚100から外方に略羽根状に延びている。
【００６６】
先端羽部115〜118は、中央羽部111〜114とともに、ピン40の挿入脚60に延設された、防止部110の壁部として機能する。なお、壁部として、先端羽部115〜118を例示したが、これらに限定されない。
先端羽部115〜118は、図５に示すように、中央脚100の第１、第２当接部101,102の四隅に計４個設けられ、全体として断面略Ｈ形に張り出している。
【００６７】
４個の先端羽部115〜118は、中央脚100を挟んで背向する先端羽部115と117、116と118との外側に位置する端面迄の距離は、グロメット50のスリット91の溝幅以上、例えば溝幅より長く設定されている。また、４個の先端羽部115〜118のうち、第１、第２突面101,102を挟んで対向する中央羽部115と116、117と118との間隔は、脚片92の横幅以上、例えば当該横幅にほぼ一致させている。
【００６８】
なお、先端羽部115〜118中の個数として、４個を例示したが、これに限定されず、スリット91の解放面を塞げる個数とすれば良い。
（クリップ10の使用方法）
つぎに、上記した構成を備えたクリップ10の使用方法について説明する。
まず、図１６〜１９に示すように、ピン40の挿入脚60を、グロメット50の挿入孔51に合わせて挿入し、仮止め状態とする。
【００６９】
つぎに、仮止め状態としたクリップ10を使用して、図２に示すように、ベース20に対して部品30を取り付ける。
なお、クリップ10を仮止め状態としたが、部品30を取り付ける際に、グロメット50を先にベース20及び部品30に取り付け、最後にピン40を挿入するようにしても良い。
まず、図２に示すように、ベース20と部品30とを重合させ、両者の取付孔21と貫通孔31とを整合させる。
【００７０】
つぎに、仮止め状態としたグロメット50の脚部90を、図２に示すように、ベース20の取付孔21側から部品30の貫通孔31に向かって挿入する。
最後に、ピン40をグロメット50の挿入孔51に深く挿入することで、図２に示すように、グロメット50の脚部90を、部品30の裏側で拡開させる。グロメット50の脚部90を拡開させることで、フランジ80の下面との間でベース20及び部品30を重合状態に挟み持ち、部品30をクリップ10を介してベース20の取付孔21に締結する。
【００７１】
クリップ10の締結状態においては、グロメット50のスリット91の対向した解放面が、図示しないが、ピン40の防止部110、すなわち４個の中央羽部111〜114及び４個の先端羽部115〜118により外側から塞がれる。
このため、ピン40の防止部110により、グロメット50のスリット91から脚部90の中空内部への、砂利、砂、泥、埃等の異物の進入が阻止される。
【００７２】
すなわち、ピンとグロメットとの間に、砂利等の異物が進入すると、両者の間の摩擦抵抗が増加したり、或いは砂利等の異物が一種の”くさび”として作用して、ピンを抜くことができなくなるおそれがあったが、ピン40の防止部110により、砂利等の異物の進入を防止できることから、これらの不具合を解消できる。。
一方、クリップ10の締結状態を解除する際には、グロメット50の凹部82から、図示しないが、ドライバー等を差し込み、ピン40の頭部70を窪部81の底面から浮上させることで、ピン40の挿入脚60をグロメット50の挿入孔51から抜ける方向にスライドさせることができる。
（第２の実施の形態）
つぎに、図２０及び図２１を用いて、本発明の第２の実施の形態について説明する。
【００７３】
本実施の形態の特徴は、図２０及び図２１に示すように、防止部200は、グロメット50の脚片92の一部に位置させ、スリット91の長さ方向に延設させている点である。
すなわち、図２０及び図２１を用いて、スリット91により切り割らせた脚片92の一部を延長して、延長部201,202を形成している。
延長部201,202は、図２０に示すように、脚部90の通常状態では、その先端部が外方に突出している。ピン40の挿入脚60を脚部90内に深く挿入し、脚片92を拡開した状態では、両脚片92が延長部201,202に沿って移動することで、スリット91が拡大するのを防止できる。
【００７４】
すなわち、脚片92の拡開に時にも、スリット91の溝幅が変化しないことから、スリットの溝幅が拡張する従来のグロメットと比較し、砂利等の異物の進入を低減することができる。
なお、防止部200を、延長部201,202から構成したが、これらに限定されない。
（第３の実施の形態）
つぎに、図示しないが、本発明の第３の実施の形態について説明する。
【００７５】
本実施の形態の特徴は、防止部を、グロメットのフランジの下面から、スリットの長さ方向に沿って延設させている点である。
本実施例では、防止部を、グロメットのフランジ側に形成することができる。
【符号の説明】
【００７６】
（第１の実施の形態）
10  クリップ
20  ベース            21  取付孔
30  部品              31  貫通孔
40  ピン
50  グロメット        51  挿入孔
52  スライド突起      53  仮止突起
60  挿入脚            70  頭部
80  フランジ          81  窪部
82  凹部
90  脚部              91  スリット
92  脚片              93  平坦面
94  先端肉厚部        95  係止爪
100  中央脚
101,102  第１、第２当接部
103,104  第１、第２突面
105  係止溝           106  スライド溝
107  仮止溝
110  防止部
111〜114  中央羽部    115〜118  先端羽部
（第２の実施の形態）
200  防止部           201,202  延長部
【図１】
0005726452.tif 000002
【図２】
0005726452.tif 000003
【図３】
0005726452.tif 000004
【図４】
0005726452.tif 000005
【図５】
0005726452.tif 000006
【図６】
0005726452.tif 000007
【図７】
0005726452.tif 000008
【図８】
0005726452.tif 000009
【図９】
0005726452.tif 000010
【図１０】
0005726452.tif 000011
【図１１】
0005726452.tif 000012
【図１２】
0005726452.tif 000013
【図１３】
0005726452.tif 000014
【図１４】
0005726452.tif 000015
【図１５】
0005726452.tif 000016
【図１６】
0005726452.tif 000017
【図１７】
0005726452.tif 000018
【図１８】
0005726452.tif 000019
【図１９】
0005726452.tif 000020
【図２０】
0005726452.tif 000021
【図２１】
0005726452.tif 000022